(57)【要約】【課題】電源に関するシステムの不具合をユーザーに知らせ、システムの復旧を円滑に行うこと。【解決手段】画像形成装置１０における第１電源部１０９がＯＮであり、第２後処理装置３０の第２電源部３０８がＯＦＦである場合に、第２電源部３０８がＯＦＦである警告を操作表示部１０７に表示する。その後、第２電源部３０８をＯＦＦからＯＮに変化させる動作と、第１電源部１０９を一旦ＯＦＦにし再度ＯＮに変化させる動作が、ユーザーによってなされた際に、画像形成システム１の復旧動作を実行する。【選択図】図２
2011033920.tif 000002
【特許請求の範囲】
【請求項１】
用紙に画像を形成する画像形成部と、電力を供給する第１電源部と、所定の情報を表示する表示部と、を備える画像形成装置と、
当該画像形成装置から出力された用紙に対して所定の処理を実行する用紙処理部と、電力を供給する第２電源部と、を備える用紙処理装置と、
前記第１電源部がＯＮであり、前記第２電源部がＯＦＦである場合に、前記第２電源部がＯＦＦである警告を前記表示部に表示するよう、前記表示部を制御する制御部を有することを特徴とする画像形成システム。
【請求項２】
前記制御部は、前記第１電源部がＯＮであり、前記第２電源部がＯＦＦである場合に、画像形成システムにおける動作を禁止するよう、画像形成システム内の各部を制御する請求項１に記載の画像形成システム。
【請求項３】
前記制御部は、画像形成システムにおける動作を禁止する場合に、画像形成システムにおける動作が禁止されている旨を前記表示部に表示するよう、前記表示部を制御する請求項２に記載の画像形成システム。
【請求項４】
前記制御部は、前記第１電源部がＯＮであり、前記第２電源部がＯＦＦである場合に、前記第１電源部により電力が供給される範囲での動作を許可するよう、画像形成システム内の各部を制御する請求項１に記載の画像形成システム。
【請求項５】
前記制御部は、前記第１電源部により電力が供給される範囲での動作を許可する場合に、画像形成システムにおける一部の動作が許可されている旨を前記表示部に表示するよう、前記表示部を制御する請求項４に記載の画像形成システム。
【請求項６】
前記制御部は、前記第１電源部がＯＮであり、前記第２電源部がＯＦＦである場合に、その後、前記第２電源部をＯＦＦからＯＮに変化させる動作と、前記第１電源部を一旦ＯＦＦにし再度ＯＮに変化させる動作とが、ユーザーによってなされた際に、画像形成システムの復旧動作を実行するよう、画像形成システム内の各部を制御する請求項１から５の何れか１項に記載の画像形成システム。
【請求項７】
前記制御部は、前記第１電源部がＯＮであり、前記第２電源部がＯＦＦである場合に、その後、前記第２電源部をＯＦＦからＯＮに変化させる動作がユーザーによってなされた際に、自動的に画像形成システムの復旧動作を実行するよう、画像形成システム内の各部を制御する請求項１から５の何れか１項に記載の画像形成システム。
【請求項８】
前記制御部は、前記第１電源部がＯＮであり、前記第２電源部がＯＦＦである場合に、画像形成システムの復旧動作を実行させるためのガイダンス情報を前記表示部に表示するよう、前記表示部を制御する請求項６又は７に記載の画像形成システム。
【請求項９】
前記画像形成装置から出力された用紙に対して所定の処理を実行し、前記第２電源部から電力が供給される後続用紙処理装置を有する請求項１から８の何れか１項に記載の画像形成システム。
【請求項１０】
用紙に画像を形成する画像形成部と、電力を供給する第１電源部と、所定の情報を表示する表示部と、を有し、電力を供給する第２電源部を備えて用紙に対して所定の処理を実行する用紙処理装置に接続される画像形成装置であって、
前記第１電源部がＯＮであり、前記第２電源部がＯＦＦである場合に、前記第２電源部がＯＦＦである警告を前記表示部に表示するよう、前記表示部を制御する制御部を有することを特徴とする画像形成装置。
【発明の詳細な説明】
【技術分野】
【０００１】
本発明は、画像形成システム及び画像形成装置に関するものである。
【背景技術】
【０００２】
近年、印刷分野では、多様な印刷態様に対応すべく、印刷から製本等の後処理までを連続的に行う画像形成システムが普及している。この画像形成システムは、画像形成装置に複数の後処理装置（用紙処理装置）を接続することで、用紙の搬送経路上に印刷処理工程と各種の後処理工程を配するものである。
【０００３】
後処理装置には、用紙の束に針を打ち込むステイプル処理機能を有する装置、用紙の束に孔をあける穿孔処理機能を有する装置、用紙の束を用紙中央で織り込む中折り処理機能を有する装置、等の各種装置が存在する。画像形成システムにおいて、画像形成装置の後段に数珠繋ぎにこれら各種の後処理装置が配され、後処理装置の組み合わせにより多様な印刷態様が実現される。
【０００４】
ところで、画像形成システムにおける後処理装置への電力は、画像形成装置内に設置された電源から供給される場合が多く（特許文献１参照）、複数の後処理装置が画像形成装置に接続されている場合、末端の後処理装置を含め全ての後処理装置に画像形成装置内に設置された電源から電力が供給される場合が多い。
【先行技術文献】
【特許文献】
【０００５】
【特許文献１】特開２０００−９２７４４号公報
【発明の概要】
【発明が解決しようとする課題】
【０００６】
しかし、複数の後処理装置が画像形成装置に接続され、画像形成装置内に設置された電源から全ての後処理装置に電力が供給される形態であると、画像形成装置から遠く離れて接続される後処理装置ほど供給される電圧が降下してしまう恐れがある。従って、末端の後処理装置では適正な電力が供給されず、誤動作する可能性がある。
【０００７】
そこで、複数の後処理装置が画像形成装置に接続された画像形成システムにおいて、画像形成装置に接続される後処理装置のうち、少なくとも一つの後処理装置に電源を設け、その電源から後続する後処理装置に電力を供給する形態が考えられる。このような形態であれば電圧降下を防止することが出来る。しかし、画像形成装置の電源がＯＮであり、後処理装置の電源がＯＦＦの場合、後処理装置の電源によって動作する後処理装置の機能が使用出来ず、画像形成システム全ての機能を発揮して多様な印刷態様に対応出来なくなってしまう。
【０００８】
そこで、本発明の目的は、電源に関するシステムの不具合をユーザーに知らせ、システムの復旧を円滑に行うことが出来る画像形成システム及び画像形成装置を提供することにある。
【課題を解決するための手段】
【０００９】
上記目的を達成するため、本発明に係る画像形成システムは、
用紙に画像を形成する画像形成部と、電力を供給する第１電源部と、所定の情報を表示する表示部と、を備える画像形成装置と、
当該画像形成装置から出力された用紙に対して所定の処理を実行する用紙処理部と、電力を供給する第２電源部と、を備える用紙処理装置と、
前記第１電源部がＯＮであり、前記第２電源部がＯＦＦである場合に、前記第２電源部がＯＦＦである警告を前記表示部に表示するよう、前記表示部を制御する制御部を有することを特徴とするものである。
【００１０】
また、本発明に係る画像形成装置は、
用紙に画像を形成する画像形成部と、電力を供給する第１電源部と、所定の情報を表示する表示部と、を有し、電力を供給する第２電源部を備えて用紙に対して所定の処理を実行する用紙処理装置に接続される画像形成装置であって、
前記第１電源部がＯＮであり、前記第２電源部がＯＦＦである場合に、前記第２電源部がＯＦＦである警告を前記表示部に表示するよう、前記表示部を制御する制御部を有することを特徴とするものである。
【発明の効果】
【００１１】
本発明に係る画像形成システム及び画像形成装置によれば、電源に関するシステムの不具合をユーザーに知らせ、システムの復旧を円滑に行うことが出来る。
【図面の簡単な説明】
【００１２】
【図１】画像形成システムの概略図である。
【図２】画像形成システムにおける制御系のブロック図である。
【図３】第２電源部がＯＦＦの場合の警告表示及び手動による画像形成システムの復旧動作を示すフローチャート図である。
【図４】操作表示部における表示内容の一例を示す説明図である。
【図５】第２電源部がＯＦＦの場合の警告表示及び手動による画像形成システムの復旧動作を示すフローチャート図である。
【図６】第２電源部がＯＦＦの場合の警告表示及び自動による画像形成システムの復旧動作を示すフローチャート図である。
【図７】図６に示す動作において操作表示部に表示される内容を示す説明図である。
【図８】第２電源部がＯＦＦの場合の警告表示及び自動による画像形成システムの復旧動作を示すフローチャート図である。
【図９】操作表示部を通じて画像形成システムの復旧動作を選択する画面を示す説明図である。
【発明を実施するための形態】
【００１３】
［画像形成システムの概要］
図１は、画像形成システムの概略図である。
【００１４】
図１に示すように、画像形成システム１は、１台の画像形成装置１０と、複数台の後処理装置である第１後処理装置２０、第２後処理装置（用紙処理装置）３０、第３後処理装置（後続用紙処理装置）４０から構成されている。各装置における詳細な構造の説明は省略し、各装置の概要を簡単に説明する。
【００１５】
画像形成装置１０は、例えば電子写真方式により用紙にカラー画像又はモノクロ画像を形成するものである。画像形成装置１０は、用紙を収容する複数の給紙カセット１０Ａ、１０Ｂ、１０Ｃを有し、給紙カセット１０Ａ、１０Ｂ、１０Ｃから給紙された用紙は、画像形成装置１０において画像が形成され、例えば第１後処理装置２０、第２後処理装置３０、第３後処理装置４０を搬送されて排紙トレイＴに排出される。画像形成システム１で実行するジョブの設定情報や画像形成システム１で発生する不具合情報等は、画像形成装置１０に設置された操作表示部（表示部）１０７に表示される。
【００１６】
第１後処理装置２０、第２後処理装置３０、第３後処理装置４０は、画像形成装置１０から排出された用紙に対して所定の処理を実行するものである。図１に示す実施形態において、第１後処理装置２０では複数の箇所において複数の用紙を積載するという処理が実行される。また、第２後処理装置３０では、複数の用紙を積載して用紙束を形成し、用紙束に表紙を糊付けするという製本処理が実行され、第３後処理装置４０では、複数の用紙を綴じるステイプル処理が実行される。
【００１７】
［画像形成システムのブロック図］
図２は、画像形成システムにおける制御系のブロック図であり、代表的な制御構成を示している。
【００１８】
画像形成装置１０、第１後処理装置２０、第２後処理装置３０、第３後処理装置４０は、通信部１０１、２０１、３０１、４０１を介して電気的に接続されており、制御信号の授受が相互に行われる。制御部１０２、２０２、３０２、４０２が協働して画像形成システム１の動作を制御するが、個別には制御部１０２が画像形成装置１０の各部の動作を制御し、制御部２０２、３０２、４０２の各々が第１後処理装置２０、第２後処理装置３０、第３後処理装置４０の各々の動作を制御する（本発明における制御部は、制御部１０２、２０２、３０２、４０２が全体として該当するか又は制御部１０２単体が該当する）。
【００１９】
制御部１０２、２０２、３０２、４０２は、主にＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成され、ＲＯＭに格納されている各種制御プログラムを読み出してＲＡＭに展開し、各部の動作を制御する。
【００２０】
画像形成装置１０における記憶部１０３は、画像読取部１０４で読み取って得た原稿画像の画像データを出力するジョブデータを記憶したり、出力済みのジョブデータ等を記憶したりする機能を有する。
【００２１】
画像形成部１０５は、用紙に画像を形成するものであり、具体的には、感光体、帯電部、露光部、現像部、転写部、定着部により電子写真プロセスが実行され、用紙にトナー像が形成される。
【００２２】
操作表示部１０７は、所定の情報を表示したり、各種の設定を可能にしたりするものである。操作表示部１０７は例えばタッチパネル形式となっており、ユーザーが操作表示部１０７を通じて入力することにより画像形成システムで実行するジョブの内容が設定される。
【００２３】
第１電源部１０９は、画像形成装置１０の各部等に電力を供給するものであり、図２に示すように、画像形成装置１０内に電力を供給するほか、第１後処理装置２０と第２後処理装置３０にも電力を供給する。第１電源部１０９は、モータ等を駆動させる２４Ｖ系の電力供給と制御部１０２等を動作させる５Ｖ系の電力供給を行っており、２４Ｖ系の電力は画像形成装置１０と第１後処理装置２０に供給され、５Ｖ系の電力は画像形成装置１０と第１後処理装置２０と第２後処理装置３０に供給される。第１電源部１０９のＯＮ、ＯＦＦの状態は電源検出部１０８により検出され、電源検出部１０８による検出信号は制御部１０２に伝達される。
【００２４】
第１後処理装置２０には、第１積載部２０５、第２積載部２０６、第３積載部２０７の３つの積載部が設置されており、画像形成装置１０から出力された用紙が第１積載部２０５、第２積載部２０６、第３積載部２０７の何れかに積載可能である。
【００２５】
第２後処理装置３０には、製本部３０５が設置されている。製本部３０５を具体的に説明すると、製本部３０５は、用紙を複数枚束ねて用紙束を形成し、用紙束の背に糊を塗布して用紙束に表紙を固着して製本する。製本部３０５において製本された冊子は、積載部３０６に積載され、ユーザーが製本された冊子を積載部３０６から取り出せる。
【００２６】
第２後処理装置３０は、第１後処理装置２０や第３後処理装置４０と異なり、第２電源部３０８を有している。第２電源部３０８は、図２に示すように、第２後処理装置３０内に電力を供給するほか、画像形成装置１０から最も離れて設置されている第３後処理装置４０にも電力を供給する。第２電源部３０８は、モータ等を駆動させる２４Ｖ系の電力供給と制御部４０２等を動作させる５Ｖ系の電力を第３後処理装置４０に供給する。
【００２７】
画像形成装置１０における第１電源部１０９から第３後処理装置４０へ５Ｖ系の電力を供給しようとすると、第３後処理装置４０が画像形成装置１０から離れて接続されているため、電圧降下により第３後処理装置４０が誤動作する可能性がある。従って、隣に接続された第２後処理装置３０における第２電源部３０８から第３後処理装置４０へ電力を供給することにより電圧降下を抑制し、第３後処理装置４０の誤動作を防止することが出来る。第２電源部３０８のＯＮ、ＯＦＦの状態は電源検出部３０７により検出され、電源検出部３０７による検出信号は制御部３０２に伝達される。
【００２８】
第３後処理装置４０において綴じ部４０５によりステイプル処理が実行され、端部綴じや中綴じが実行される。ステイプル処理が実行された用紙束は積載部４０６に積載され、ユーザーがステイプル処理された冊子を積載部４０６から取り出せる。
【００２９】
なお、本実施形態において第２後処理装置３０と第３後処理装置４０は、第２電源部３０８から２４Ｖ系の電力が供給されているが、第２後処理装置３０と第３後処理装置４０の２４Ｖ系の電力を第１電源部１０９から供給し、第３後処理装置４０に対する５Ｖ系の電力のみを第２電源部３０８から供給するような形態であっても良い。
【００３０】
［第２電源部のＯＮ・ＯＦＦ検出］
前述したように、電圧降下による第３後処理装置４０の誤動作を防止するため、第２後処理装置３０に第２電源部３０８を設置し、第２電源部３０８から第３後処理装置４０に電力を供給している。しかし、第２電源部３０８がＯＦＦになっていると第２後処理装置３０や第３後処理装置４０に電力が供給されてないため、第１電源部１０９がＯＮになっているとしても第２後処理装置３０を利用した製本処理や第３後処理装置４０を利用したステイプル処理が出来ず、画像形成システム１の全ての機能を発揮して多様な印刷態様に対応出来ない。そこで第２電源部３０８の状態を検出し、第２電源部３０８がＯＦＦのときに画像形成装置１０における操作表示部１０７に警告表示をするとともに、画像形成システム１を復旧させるようにする。以下、この点について詳しく説明する。
【００３１】
図３は、第２電源部３０８がＯＦＦの場合の警告表示及び手動による画像形成システム１の復旧動作を示すフローチャート図である。
【００３２】
まず、画像形成装置１０における第１電源部１０９がＯＮか否か判断する（ステップＳ１）。ステップＳ１における判断は、画像形成装置１０における電源検出部１０８の検出結果及び所定のプログラムに基づいて制御部１０２が実行する。
【００３３】
ステップＳ１において第１電源部１０９がＯＮであると判断すると（ステップＳ１；Ｙｅｓ）、次に第２後処理装置３０における第２電源部３０８がＯＮか否か判断する（ステップＳ２）。ステップＳ２における判断は、第２後処理装置３０における電源検出部３０７の検出結果及び所定のプログラムに基づいて制御部３０２が実行する。
【００３４】
ステップＳ２において第２電源部３０８がＯＮであると判断すると（ステップＳ２；Ｙｅｓ）、画像形成システム１におけるイニシャライズ動作を実行する（ステップＳ７）。ステップＳ７におけるイニシャライズ動作は、画像形成システム１がどのような装置から構成されているのか、画像形成システム１を構成する各装置に認識させる動作である。つまり、画像形成装置１０にどのような後処理装置が何台接続されているのか、また、どのような後処理装置が隣り合っているのか等を画像形成装置１０や第１後処理装置２０等に認識させる動作である。
【００３５】
具体的には画像形成装置１０、第１後処理装置２０、第２後処理装置３０、第３後処理装置４０の各々の通信部を介して各装置の特性情報を送信しあって各装置にどのような特性の装置が接続されているか認識させる。ステップＳ７におけるイニシャライズ動作が完了すると、例えば、画像形成システム１における実行出来る動作が操作表示部１０７を通じて選択出来るようになる。
【００３６】
一方、ステップＳ２において第２電源部３０８がＯＦＦであると判断すると（ステップＳ２；Ｎｏ）、第２後処理装置３０では２４Ｖ系の電力が供給されておらず、第３後処理装置では２４Ｖ系の電力と５Ｖ系の電力が供給されていないことになるため、第２後処理装置３０と第３後処理装置４０を利用した動作（製本処理やステイプル処理の動作）が実行出来ない。
【００３７】
そこで、画像形成装置１０における操作表示部１０７に警告表示を行うとともに画像形成システム１における動作を禁止する（ステップＳ３、Ｓ４）。このように第２電源部３０８がＯＦＦの場合に画像形成システム１における動作を禁止することにより、画像形成システム１における不要なジョブの実行等を防止することが出来る。ステップＳ３、Ｓ４における動作は制御部１０２、制御部２０２が協働して所定のプログラムに基づいて各部を制御する。
【００３８】
図４は、操作表示部１０７における表示内容の一例を示す説明図である。
【００３９】
図４で示すように、第２後処理装置３０における第２電源部３０８がＯＦＦになっていると、操作表示部１０７には「後処理装置の電源がＯＦＦとなっています。」という警告表示がされる。その結果、ユーザーは画像形成システム１が正常ではないということを簡易に認識することができ、例えばユーザー自ら操作表示部１０７を通じてジョブを実行させるようなことはない。
【００４０】
また、第２電源部３０８がＯＦＦになって画像形成システム１における動作が禁止されているため、図４に示すように、「システムを動作させることが出来ません。」という画像形成システム１における動作が禁止されている旨を表示することによって、ユーザーはその旨を簡易に認識することが出来る。
【００４１】
更に、図４に示すように「本体の電源をＯＦＦし、後処理装置の電源をＯＮした後で、再度、本体の電源をＯＮして下さい。」という画像形成システム１の復旧動作を実行させるためのガイダンス情報を表示する。このようにガイダンス情報を表示すれば、画像形成システム１を動作させるためにはどのように画像形成システム１を復旧させたらよいのか、ユーザーが簡易に認識することが出来る。
【００４２】
図３に戻って動作の説明を継続する。ステップＳ３、Ｓ４において警告表示と画像形成システム１における動作禁止を行い、その後、ユーザーによって第２電源部３０８をＯＦＦからＯＮに変化させる動作が行われたか否か判断する（ステップＳ５）。ステップＳ５における判断は、ステップＳ２と同様に、第２後処理装置３０における電源検出部３０７の検出結果及び所定のプログラムに基づいて制御部３０２が実行する。
【００４３】
ステップＳ５において第２電源部３０８をＯＦＦからＯＮに変化させる動作が行われたと判断すると（ステップＳ５；Ｙｅｓ）、次に、ユーザーによって第１電源部１０９を一旦ＯＦＦにし、再度ＯＮに変化させる動作が行われたか否か判断する（ステップＳ６）。第１電源部１０９のＯＦＦ−ＯＮ動作は、画像形成システム１における復旧動作を開始させる動作であり、ユーザーによる手動動作である。ステップＳ６における判断は、画像形成装置１０における電源検出部１０８の検出結果及び所定のプログラムに基づいて制御部１０２が実行する。
【００４４】
ステップＳ６において第１電源部１０９を一旦ＯＦＦにし、再度ＯＮに変化させる動作が行われたと判断すると（ステップＳ６；Ｙｅｓ）、イニシャライズ動作を実行し（ステップＳ７）、前述したように画像形成システム１がどのような装置から構成されているのか、画像形成システム１を構成する各装置に認識させる（ステップＳ３〜Ｓ６を経由してステップＳ７で実行するイニシャライズ動作は画像形成システム１の復旧動作に該当する）。イニシャライズ動作が実行されると、画像形成システム１が復旧し、第２後処理装置３０や第３後処理装置４０を含め、画像形成システム１の全ての機能を発揮して多様な印刷態様に対応出来るようになる。
【００４５】
その後、第１電源部１０９の状態と第２電源部３０８の状態を監視し（ステップＳ８、Ｓ９）、第２電源部３０８が途中でＯＦＦされるとステップＳ３からステップＳ７の動作を繰り返し、警告表示等を実行する。
【００４６】
以上説明したように、第２電源部がＯＦＦであれば、操作表示部１０７に警告表示を行うのでユーザーは画像形成システム１が正常ではないということを簡易に認識することが出来る。また、第２電源部３０８をＯＦＦからＯＮに変化させる動作と、第１電源部１０９を一旦ＯＦＦにし、再度ＯＮに変化させる動作がユーザーによって行われると、画像形成システム１の復旧動作が開始されるので、その後、画像形成システム１の全ての機能を発揮して多様な印刷態様に対応出来るようになる。
【００４７】
［第２電源部ＯＦＦ時の一部動作許可］
次に、図３で示した動作形態と異なり、第２電源部３０８がＯＦＦのときに画像形成システム１の一部の動作を許可する動作形態について図５を用いて説明する。
【００４８】
図５は、第２電源部３０８がＯＦＦの場合の警告表示及び手動による画像形成システム１の復旧動作を示すフローチャート図である。
【００４９】
図５におけるステップＳ１１、Ｓ１２は、図３におけるステップＳ１、Ｓ２と同じ動作であるため、ここでの説明は省略する。
【００５０】
図５におけるステップＳ１２において、第２電源部がＯＦＦであると判断すると（ステップＳ１２；Ｎｏ）、第１電源部１０９により電力が供給されている範囲での動作を許可するべく、イニシャライズ動作を実行する（ステップＳ１３）。
【００５１】
第１電源部１０９からの２４Ｖ系の電力は、画像形成装置１０と第１後処理装置２０に供給されているため、画像形成装置１０と第１後処理装置２０は、通常の動作を行うことが出来る。従って、ステップＳ１３のイニシャライズ動作では、画像形成装置１０、第１後処理装置２０の各々の通信部を介して各装置の特性情報を送信しあって画像形成装置１０には第１後処理装置２０が接続されることを認識させ、第１後処理装置２０には画像形成装置１０が接続されていることを認識させる。
【００５２】
そして、第２電源部３０８がＯＦＦであるため、画像形成装置１０における操作表示部１０７に警告表示を行う（ステップＳ１４）。ステップＳ１４における警告表示は、図４で示した形態と同様であるが、図５における動作では第１電源部１０９によりに電力が供給されている範囲での動作を許可すべく、図４における「システムを動作させることが出来ません」という表示の代わりに「一部の動作を実行することが出来ます」という許可の表示を行う。つまり、第１電源部１０９により電力が供給される範囲での動作が許可されている旨を操作表示部１０７に表示させる。このように表示すれば、ユーザーが一部のジョブが実行可能であることが認識出来る。
【００５３】
この状態で、例えばユーザーによって操作表示部１０７を通じてジョブが設定された場合、設定完了された後で設定されたジョブが実行出来るか否か制御部１０２が判断し、画像形成装置１０や第１後処理装置２０で実行出来るジョブであればジョブを実行し、第２後処理装置３０や第３後処理装置４０を利用しなければ実行出来ないジョブ（製本処理やステイプル処理を実行するジョブ）であればジョブを実行しないようにする。ちなみに操作表示部１０７に実行出来るジョブと実行出来ないジョブを具体的に表示するようにしても良い。
【００５４】
図５におけるステップＳ１５〜Ｓ１９は、図３のステップＳ５〜Ｓ９と同様であるため、ここでも説明は省略する。
【００５５】
以上、図５で説明したように、第２電源部３０８がＯＦＦのときに第１電源部１０９により電力が供給される範囲での動作を許可するようにすれば、画像形成システム１における可能な範囲でのジョブを実行出来る。その結果、例えば用紙に対する後処理が不要で用紙に画像を形成したいというユーザーにとっては画像形成システム１の復旧動作を実行しなくてもジョブを実行出来るため、利便性が良い。
【００５６】
［画像形成システムの自動復旧］
図３、図５で示した動作形態では、第２電源部３０８がＯＦＦのときに、ユーザーによって第２電源部３０８がＯＮされ、更に第１電源部１０９のＯＦＦ−ＯＮ動作という手動動作がなされた場合に画像形成システム１の復旧動作を開始したが、第１電源部１０９のＯＦＦ−ＯＮ動作という手動動作がなくても自動的に画像形成システム１の復旧動作を開始しても良い。以下、この点について詳しく説明する。
【００５７】
図６は、第２電源部がＯＦＦの場合の警告表示及び自動による画像形成システム１の復旧動作を示すフローチャート図である。
【００５８】
図６におけるステップＳ２１、Ｓ２２、Ｓ２４〜Ｓ２６は、図３におけるステップＳ１〜Ｓ５と同様であるため、ここでの説明は省略する。
【００５９】
図６におけるステップＳ２４では、図３におけるステップＳ３と同様に画像形成装置１０における操作表示部１０７に警告表示等を行うが、図６に示す動作において操作表示部１０７に表示される形態は、図３に示す動作において操作表示部１０７に表示される形態と若干異なっている。
【００６０】
図７は、図６に示す動作において操作表示部１０７に表示される内容を示す説明図である。
【００６１】
図７に示すように、図６に示す動作において操作表示部１０７には、図４で示した形態と同様に警告表示と、画像形成システム１における動作禁止表示がなされている。しかし、画像形成システム１の復旧動作を実行させるためのガイダンス情報は図４で示した形態と異なっており、図７に示すように「後処理装置の電源をＯＮして下さい」という内容になっている。
【００６２】
図６に戻って動作の説明を継続する。ステップＳ２６において第２電源部３０８をＯＦＦからＯＮに変化させる動作が行われたと判断すると（ステップＳ２６；Ｙｅｓ）、自動的に画像形成システム１における復旧イニシャライズ動作（画像形成システム１の復旧動作）を実行する（ステップＳ２７）。
【００６３】
ステップＳ２７における復旧イニシャライズ動作は、通常のイニシャライズと同様に、基本的には画像形成システム１がどのような装置から構成されているのか、画像形成システム１を構成する各装置に認識させる動作である。具体的な復旧イニシャライズ動作の方法は色々な方法が考えられる。画像形成システム１において全くイニシャライズ動作が実行されていなければ、通常のイニシャライズ動作と同様に、画像形成装置１０、第１後処理装置２０、第２後処理装置３０、第３後処理装置４０の各々の通信部を介して各装置の特性情報を送信しあって各装置にどのような特性の装置が接続されているか認識させる。また、例えば既に画像形成装置１０と第１後処理装置２０との間においてイニシャライズ動作が完了している状態で復旧イニシャライズ動作を実行するのであれば、画像形成装置１０と第１後処理装置２０との間の認識動作はせずに、第２後処理装置３０や第３後処理装置４０に関係する認識動作を行ってもよいし、全てをリセットして通常のイニシャライズ動作を行ってもよい。
【００６４】
その後、第１電源部１０９の状態と第２電源部３０８の状態を監視し（ステップＳ２８、Ｓ２９）、第２電源部３０８が途中でＯＦＦされるとステップＳ２４からステップＳ２７の動作を繰り返し、警告表示等を実行する。
【００６５】
以上説明したように第２電源部がＯＦＦであれば、操作表示部１０７に警告表示を行い、その後、第２電源部がＯＮされると自動的に画像形成システム１の復旧動作を開始するようにすれば、例えば第１電源部１０９のＯＦＦ−ＯＮ動作をさせることなく、簡易に復旧作業を行うことが出来る。
【００６６】
また、詳しい説明は省略するが、図８で示す動作形態のように、図６と同様に第１電源部１０９のＯＦＦ−ＯＮ動作という手動動作がなくても自動的に画像形成システム１の復旧動作を開始するとともに、第５図で示した動作形態のように、自動的に画像形成システム１の復旧動作する場合でも、第２電源部３０８がＯＦＦの際に第１電源部１０９により電力が供給される範囲での動作を許可するようにしても良い（図５におけるステップＳ１３、Ｓ１４に関する説明を参照）。
【００６７】
図３及び図５では手動による画像形成システム１の復旧動作を示し、図６及び図８では自動による画像形成システム１の復旧動作を示したが、何れの復旧動作を行うかユーザーが操作表示部１０７を通じて選択することが出来る。
【００６８】
図９は、操作表示部１０７を通じて画像形成システム１の復旧動作を選択する画面を示す説明図である。
【００６９】
画像形成システム１の復旧動作を選択する場合は、図９に示すような画面が操作表示部１０７に表示される。図３及び図５で示したように、手動による画像形成システム１の復旧動作を選択する場合は、図９における「本体の電源を１度ＯＦＦし、後処理装置の電源をＯＮした後で、再度、本体の電源がＯＮした後に復旧させる。」という内容が表示された部分の横の決定ボタンを押す。一方、図６及び図８で示したように、自動による画像形成システム１の復旧動作を選択する場合は、図９における「本体の電源をＯＦＦせず、後処理装置の電源をＯＮした後で、自動的に復旧させる。」という内容が表示された部分の横の決定ボタンを押す。このようにすることによってユーザーの好みにあった画像形成システムの復旧動作を選択出来る。
【００７０】
本発明を図１から図９に示す実施形態により説明したが、本発明は当該実施形態に限定されるものではなく、本発明の要旨を逸脱しない範囲における変更や追加があっても本発明に含まれる。
【符号の説明】
【００７１】
１  画像形成システム
１０  画像形成装置
２０  第１後処理装置
３０  第２後処理装置
４０  第３後処理装置
１０２  制御部
１０７  操作表示部
１０８  電源検出部
１０９  第１電源部
２０２  制御部
３０２  制御部
３０５  製本部
３０７  電源検出部
３０８  第２電源部
４０２  制御部
４０５  綴じ部
【図１】
2011033920.tif 000003
【図２】
2011033920.tif 000004
【図３】
2011033920.tif 000005
【図４】
2011033920.tif 000006
【図５】
2011033920.tif 000007
【図６】
2011033920.tif 000008
【図７】
2011033920.tif 000009
【図８】
2011033920.tif 000010
【図９】
2011033920.tif 000011